【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
光学系を使用して画像をキャプチャするキャプチャ手段と、
前記キャプチャした画像の一部を切り出す画像切り出し処理部及び前記切り出した画像のデータサイズを圧縮する符号化処理部を含む画像処理部によって配信画像を生成する際に、ネットワークに接続されたクライアントによって指定された配信画像生成パラメータに応じて配信画像を生成する配信画像生成手段と、
前記生成した配信画像をクライアントに送信する通信手段と、
配信画像生成パラメータの指定範囲又は配信画像の最大同時生成数を設定するための配信画像生成条件設定手段と、
配信画像生成パラメータ又は配信画像の同時生成数によって決まる配信画像の生成負荷を定量化して予測する配信画像生成負荷算出手段とを有し、
前記配信画像生成手段は、前記配信画像生成負荷算出手段による予測に基づいて配信画像生成パラメータが異なる複数の配信画像を並列に生成し、前記通信手段は、前記配信画像をリクエストに応じて複数のクライアントに並列に送信することを特徴とする画像配信装置。
【請求項２】
前記配信画像生成手段の画像処理部は、前記切り出した画像のリサイズ処理又はリサンプル処理によって画像サイズを変更するリサイズ処理部を含むことを特徴とする請求項１記載の画像配信装置。
【請求項３】
前記配信画像生成手段の画像処理部は、前記光学系の歪特性に応じて画像の全体又は一部を歪補正する歪補正処理部を含むことを特徴とする請求項１又は２記載の画像配信装置。
【請求項４】
前記配信画像生成パラメータは、視線方向と画角によって決まる視野範囲、配信画像の画像サイズ、画像コーデック、配信フレームレート、配信画像の同時生成数のうちの少なくとも１つが含まれることを特徴とする請求項１〜３のいずれか１項に記載の画像配信装置。
【請求項５】
さらに、クライアントが配信画像生成パラメータを指定する権利を配信画像生成権として管理する配信画像生成パラメータ管理手段を有し、
前記配信画像生成パラメータ管理手段は、前記配信画像生成権と配信画像とを１対１に対応させることにより、前記配信画像生成権を保持するクライアントのみから配信画像生成パラメータの指定を受け付けることを特徴とする請求項１〜４のいずれか１項に記載の画像配信装置。
【請求項６】
前記配信画像生成パラメータ管理手段は、前記配信画像生成権の保持時間を管理し、新たにクライアントから配信画像生成権が要求された場合は、前記配信画像生成権を保持するクライアントのうち、前記配信画像生成権の保持時間が最も長いクライアントから前記配信画像生成権を剥奪して、前記配信画像生成権を要求した他のクライアントに前記配信画像生成権を与えることを特徴とする請求項５記載の画像配信装置。
【請求項７】
前記配信画像生成パラメータ管理手段は、前記配信画像生成権に制限時間を設定し、前記配信画像生成権をクライアントに与えた時点から前記制限時間が経過した場合は、前記配信画像生成権を剥奪して前記配信画像生成権を要求した他のクライアントに与えることを可能にすることを特徴とする請求項５又は６記載の画像配信装置。
【請求項８】
前記配信画像生成条件設定手段は、前記配信画像生成負荷算出手段によって算出された前記配信画像生成手段の画像処理部に対する負荷が最大となる場合の負荷が、あらかじめ定量化された前記配信画像生成手段を構成する画像処理部の処理能力を超える場合は、設定を拒否するとともに警告を通知することを特徴とする請求項１記載の画像配信装置。
【請求項９】
さらに、前記配信画像生成負荷算出手段によって算出された前記配信画像生成手段の画像処理部に対する負荷が最大となる場合の負荷が、あらかじめ定量化された前記配信画像生成手段を構成する画像処理部の処理能力を超えないように、前記配信画像生成条件設定手段により設定された配信画像生成パラメータの指定範囲又は配信画像の最大同時生成数のうちのいずれかを調整する配信画像生成条件調整手段を有することを特徴とする請求項８記載の画像配信装置。
【請求項１０】
前記配信画像生成条件調整手段は、配信画像生成パラメータの指定範囲として配信画像サイズの指定範囲を調整する際、他の配信画像生成パラメータの指定範囲又は配信画像の最大同時生成数に関する１つ以上の設定項目の変更が要求されて、前記配信画像生成負荷算出手段により配信画像の生成負荷が重くなることが予測された場合は指定可能な配信画像サイズの制限を強化し、配信画像の生成負荷が軽くなることが予測された場合は指定可能な配信画像サイズの制限を緩和することを特徴とする請求項９記載の画像配信装置。
【請求項１１】
前記配信画像生成条件調整手段は、調整する設定項目が複数の場合は、調整する各項目に優先順位を設定し、設定した優先順位が高い項目から順に調整することを特徴とする請求項９又は１０記載の画像配信装置。
【請求項１２】
光学系を使用して画像をキャプチャするキャプチャステップと、
前記キャプチャした画像の一部を切り出す画像切り出し処理部及び前記切り出した画像のデータサイズを圧縮する符号化処理部を含む画像処理部によって配信画像を生成する際に、ネットワークに接続されたクライアントによって指定された配信画像生成パラメータに応じて配信画像を生成する配信画像生成ステップと、
前記生成した配信画像をクライアントに送信する通信ステップと、
配信画像生成パラメータの指定範囲又は配信画像の最大同時生成数を設定するための配信画像生成条件設定ステップと、
配信画像生成パラメータ又は配信画像の同時生成数によって決まる配信画像の生成負荷を定量化して予測する配信画像生成負荷算出ステップとを有し、
前記配信画像生成ステップは、前記配信画像生成負荷算出ステップによる予測に基づいて配信画像生成パラメータが異なる複数の配信画像を並列に生成し、前記通信ステップは、前記配信画像をリクエストに応じて複数のクライアントに並列に送信することを特徴とする画像配信方法。
【手続補正２】
【補正対象書類名】明細書
【補正対象項目名】０００８
【補正方法】変更
【補正の内容】
【０００８】
本発明の画像配信装置は、光学系を使用して画像をキャプチャするキャプチャ手段と、前記キャプチャした画像の一部を切り出す画像切り出し処理部及び前記切り出した画像のデータサイズを圧縮する符号化処理部を含む画像処理部によって配信画像を生成する際に、ネットワークに接続されたクライアントによって指定された配信画像生成パラメータに応じて配信画像を生成する配信画像生成手段と、前記生成した配信画像をクライアントに送信する通信手段と、配信画像生成パラメータの指定範囲又は配信画像の最大同時生成数を設定するための配信画像生成条件設定手段と、配信画像生成パラメータ又は配信画像の同時生成数によって決まる配信画像の生成負荷を定量化して予測する配信画像生成負荷算出手段とを有し、前記配信画像生成手段は、前記配信画像生成負荷算出手段による予測に基づいて配信画像生成パラメータが異なる複数の配信画像を並列に生成し、前記通信手段は、前記配信画像をリクエストに応じて複数のクライアントに並列に送信することを特徴とする。
【手続補正３】
【補正対象書類名】明細書
【補正対象項目名】０００９
【補正方法】変更
【補正の内容】
【０００９】
また、本発明の画像配信方法は、光学系を使用して画像をキャプチャするキャプチャステップと、前記キャプチャした画像の一部を切り出す画像切り出し処理部及び前記切り出した画像のデータサイズを圧縮する符号化処理部を含む画像処理部によって配信画像を生成する際に、ネットワークに接続されたクライアントによって指定された配信画像生成パラメータに応じて配信画像を生成する配信画像生成ステップと、前記生成した配信画像をクライアントに送信する通信ステップと、配信画像生成パラメータの指定範囲又は配信画像の最大同時生成数を設定するための配信画像生成条件設定ステップと、配信画像生成パラメータ又は配信画像の同時生成数によって決まる配信画像の生成負荷を定量化して予測する配信画像生成負荷算出ステップとを有し、前記配信画像生成ステップは、前記配信画像生成負荷算出ステップによる予測に基づいて配信画像生成パラメータが異なる複数の配信画像を並列に生成し、前記通信ステップは、前記配信画像をリクエストに応じて複数のクライアントに並列に送信することを特徴とする。